(57)【要約】【課題】十分な加熱能力を備えつつも、コンパクトで、使い勝手の良く、低コストを実現できるヒ−トポンプ給湯機を提供することを目的とする。【解決手段】圧縮機２、水−冷媒熱交換器３、減圧手段４および空気−冷媒熱交換器５を順次接続した閉回路で冷媒を循環させる冷媒循環回路と、前記空気−冷媒熱交換器５に送風する送風手段７と、前記水−冷媒熱交換器３に接続され、前記水−冷媒熱交換器３で加熱された温水を貯湯する貯湯手段９と、これらを収納する筐体１とを備え、前記送風手段７を前記空気−冷媒熱交換器５の上部近傍に配設するとともに、前記空気−冷媒熱交換器５を通過後の気流は、前記送風手段７に向かって上方側に流れる構成としたもので、コンパクトで加熱能力の大きなヒ−トポンプ給湯機とすることができる。【選択図】図１
2006145085.tif 000002
【特許請求の範囲】
【請求項１】
圧縮機、水−冷媒熱交換器、減圧手段および空気−冷媒熱交換器を順次接続した閉回路で冷媒を循環させる冷媒循環回路と、前記空気−冷媒熱交換器に送風する送風手段と、前記水−冷媒熱交換器に接続され、前記水−冷媒熱交換器で加熱された温水を貯湯する貯湯手段と、これらを収納する筐体とを備え、前記送風手段を前記空気−冷媒熱交換器の上部近傍に配設するとともに、前記空気−冷媒熱交換器を通過後の気流は、前記送風手段に向かって上方側に流れる構成としたヒ−トポンプ給湯機。
【請求項２】
空気−冷媒熱交換器を、筐体の上面側からみて略ロの字形に構成するとともに、送風手段が発した気風を、筐体の上面側または側面側から吹き出す構成とした請求項１記載のヒ−トポンプ給湯機。
【請求項３】
空気−冷媒熱交換器を、筐体の上面側からみて略コの字形に構成するとともに、送風手段が発した気風を、筐体の上面側または側面側から吹き出す構成とした請求項１記載のヒ−トポンプ給湯機。
【請求項４】
送風手段にケ−シングを設け、送風手段が発した気風を、筐体の側面側から吹き出す構成とした請求項１〜３のいずれか１項に記載のヒ−トポンプ給湯機。
【請求項５】
圧縮機、水−冷媒熱交換器のうち少なくとも一方を、空気−冷媒熱交換器の内方に設けた請求項１〜４のいずれか１項に記載のヒ−トポンプ給湯機。
【請求項６】
圧縮機、水−冷媒熱交換器のうち少なくとも一方を、空気−冷媒熱交換器の下方に設けた請求項１〜４のいずれか１項に記載のヒ−トポンプ給湯機。
【請求項７】
空気−冷媒熱交換器の横側に貯湯手段を配設するとともに、前記貯湯手段と前記空気−冷媒熱交換器の間に、前記貯湯手段方向に向かって変位する仕切板を設け、前記空気−冷媒熱交換器と前記仕切板との間隙に対向するように、送風手段の吸気口を形成した請求項１〜６のいずれか１項に記載のヒ−トポンプ給湯機。
【請求項８】
貯湯手段を略円筒形の貯湯タンクとし、仕切板を前記貯湯タンクと略同心円状とした請求項７記載のヒ−トポンプ給湯機。
【請求項９】
貯湯手段を空気−冷媒熱交換器の下方に配設した請求項１〜８のいずれか１項に記載のヒ−トポンプ給湯機。
【発明の詳細な説明】
【技術分野】
【０００１】
本発明は、ヒ−トポンプ方式の給湯機に関するものである。
【背景技術】
【０００２】
従来、給湯機としては、ガスや石油を燃料として用い、その燃焼熱で水道水を加熱する燃焼式給湯機が使用されてきた。これらは、速湯性に優れているという利点がある反面、ガス、石油といった燃料が必要でその供給が不可欠であること、燃焼後の排気ガスが大気に放出され大気汚染を招くこと、燃焼させるので不安全性を常に内在していること、燃焼時の音が大きいことなどの課題があった。特に近年増えている、エネルギ−源を全て電気で行うというオ−ル電化の住宅やマンションでは燃料を供給しないため、燃焼式給湯機を使用しないのが一般的である。
【０００３】
そこで、貯湯タンクを備えた貯湯式のヒ−トポンプ給湯機が開発されている。これは、燃焼による給湯機の問題を解決し、オ−ル電化の住宅、マンションでも新たなインフラ整備を必要とせず手軽に設置することができ、ヒ−トポンプ式であるため、入力に対する能力は３倍以上確保することが可能となるなど効率が良く環境に優しく、更に安価な深夜電力を用いて貯湯タンクに高温の湯を貯めるので、ランニングコストも安価となるなどと言った特長を持ち、徐々に普及してきている。
【０００４】
このような給湯機として、例えば、以下に示されるヒ−トポンプ給湯機がある。
【０００５】
このヒ−トポンプ式給湯機は、図１０に示すように、給湯サイクル７１と冷媒サイクル７２を備え、これら給湯サイクル７１と冷媒サイクル７２の本体を二つに分割し、循環路７８、循環路８０で接続している。この給湯サイクル７１は、底壁に設けられた給水口７３と上壁に設けられた給湯口７４を有する貯湯タンク７５と、水熱交換路７６と、水循環用ポンプ７７とを備え、水熱交換路７６と水循環用ポンプ７７が、貯湯タンク７５の給湯口７４と湯入口７９とを連結する循環路８０に介設されている（例えば、特許文献１参照）。
【０００６】
また、冷媒サイクル７２は、圧縮機８１と、水熱交換路７６を構成する水−冷媒熱交換器８２と、減圧機構８３と、空気−冷媒熱交換器８４とを順に冷媒通路８５で接続して構成する冷媒循環回路を備える。更に、給湯サイクル７１と冷媒サイクル７２は、室外側に配設されている連結配管８６、８７にて連結される。そして、給水口７３から給水し、水循環用ポンプ７７にて循環路７８に流出させた低温水を水熱交換器７６（すなわち水熱交換器８２）で沸き上げ、給湯口７４から出湯する構成となっている。
【０００７】
上記ヒ−トポンプ式給湯機にて、給湯サイクル７１と冷媒サイクル７２の部分を一体化したものも考案されており、その構成は以下のようになっている。
【０００８】
圧縮機と空気−冷媒熱交換器を貯湯タンクの上部に配置するように構成されており、空気−冷媒熱交換器の熱交換を促進するために空気を流通させる送風ファンが、空気−冷媒熱交換器の側方に配され、横方向の風路を構成している。そして、それらを一つの筐体に納めることにより、コンパクト化を図るヒ−トポンプ給湯機となっている（例えば、特許文献２参照）。
【特許文献１】特開２００３−２２２３９２号公報
【特許文献２】特開平７−９８１５６号公報
【発明の開示】
【発明が解決しようとする課題】
【０００９】
しかしながら、上記特許文献１の図１０の構成では、給湯サイクル７１と冷媒サイクル７２が分かれているので、それぞれのユニットが別個に必要であり、また、それぞれを二つ設置した場合、それらの寸法が大きく、かつ重量も重いために、設置場所が限られるという面があった。
【００１０】
一方、特許文献２のヒ−トポンプ給湯機では、給湯サイクルと冷媒サイクルを一体の筐体の中に入れ小型化を図ったものである。近年高層マンション等の集合住宅への設置を行う際に、図１０のような、給湯サイクルと冷媒サイクルを分離した構成では、給湯サイクルを含むユニットをメ−タ−ボックス（ＭＢ）やパイプスペ−ス（ＰＳ）に入れる例がある。それに対して、図１０の例では、高層マンションなどの集合住宅における給水配管、排水配管などを配置するパイプスペ−ス（以下、ＰＳという）、あるいはメ−タ−ボックス（以下、ＭＢという）に収納することを目的としておらず、ＰＳやＭＢに設置できるほど装置を小型化するための構想は開示されていなかった。
【００１１】
また、空気−冷媒熱交換器の面積も大きくすることができず、加熱能力が十分に取れないという課題も有していた。そのため、小さいものしかできず、また、例えばＭＢやＰＳに入れた場合も、冷媒サイクルにある空気−冷媒熱交換器には熱交換を促進するために送風ファンで風を送る必要があるが、その風が高所から出てくるために、その場所にいる人の体に当たり、不快感を与えるということなど、搬送性、使用性で課題を有していた。
【００１２】
本発明は、上記課題を解決するもので、十分な加熱能力を備えつつも、コンパクトで、使い勝手の良く、低コストを実現できるヒ−トポンプ給湯機を提供することを目的とする。
【課題を解決するための手段】
【００１３】
前記従来の課題を解決するために、本発明はヒ−トポンプ給湯機は、圧縮機、水−冷媒熱交換器、減圧手段および空気−冷媒熱交換器を順次接続した閉回路で冷媒を循環させる冷媒循環回路と、前記空気−冷媒熱交換器に送風する送風手段と、前記水−冷媒熱交換器に接続され、前記水−冷媒熱交換器で加熱された温水を貯湯する貯湯手段と、これらを収納する筐体とを備え、前記送風手段を前記空気−冷媒熱交換器の上部近傍に配設するとともに、前記空気−冷媒熱交換器を通過後の気流は、前記送風手段に向かって上方側に流れる構成としたもので、空気−冷媒熱交換器の上部近傍に配設した送風手段が、空気−冷媒熱交換器の側面部より吸引し、前記空気−冷媒熱交換器を通過後の気流は、前記送風手段に向かって上方側に流れることで、空気−冷媒熱交換器を高さ方向を抑えつつ、面積を大きくすることが可能となり、コンパクトな筐体を維持しつつ、給湯加熱能力を大幅に向上することが可能となり、コンパクトで加熱能力の大きなヒ−トポンプ給湯機とすることができる。
【発明の効果】
【００１４】
本発明によれば、コンパクトな構成であるにかかわらず、加熱能力が大きく、使い勝手が良く、低騒音で、低コストのヒ−トポンプ給湯機を提供できる。
【発明を実施するための最良の形態】
【００１５】
第１の発明は、圧縮機、水−冷媒熱交換器、減圧手段および空気−冷媒熱交換器を順次接続した閉回路で冷媒を循環させる冷媒循環回路と、前記空気−冷媒熱交換器に送風する送風手段と、前記水−冷媒熱交換器に接続され、前記水−冷媒熱交換器で加熱された温水を貯湯する貯湯手段と、これらを収納する筐体とを備え、前記送風手段を前記空気−冷媒熱交換器の上部近傍に配設するとともに、前記空気−冷媒熱交換器を通過後の気流は、前
記送風手段に向かって上方側に流れる構成としたもので、空気−冷媒熱交換器の上部近傍に配設した送風手段が、空気−冷媒熱交換器の側面部より吸引し、前記空気−冷媒熱交換器を通過後の気流は、前記送風手段に向かって上方側に流れることで、空気−冷媒熱交換器を高さ方向を抑えつつ、面積を大きくすることが可能となり、コンパクトな筐体を維持しつつ、給湯加熱能力を大幅に向上することが可能となり、コンパクトで加熱能力の大きなヒ−トポンプ給湯機とすることができる。
【００１６】
第２の発明は、空気−冷媒熱交換器を、筐体の上面側からみて略ロの字形に構成するとともに、送風手段が発した気風を、筐体の上面側または側面側から吹き出す構成としたもので、空気−冷媒熱交換器を、筐体の上面側からみて略ロの字形に折り曲げることで、空気−冷媒熱交換器をコンパクトにしつつ、熱交換面積を大きくすることが可能となり、ヒ−トポンプ加熱能力を向上することが可能となる。さらに、空気−冷媒熱交換器を略ロの字形状として、４方側面方向から送風手段の吸引力により空気を流すことができるために、ＭＢなどの閉塞された空間に設置した場合にも熱交換能力がダウンすることがなく、設置汎用性を高めることができる。
【００１７】
第３の発明は、空気−冷媒熱交換器を、筐体の上面側からみて略コの字形に構成するとともに、送風手段が発した気風を、筐体の上面側または側面側から吹き出す構成としたもので、空気−冷媒熱交換器を、筐体の上面側からみて略コの字形に折り曲げることで、空気−冷媒熱交換器をコンパクトにしつつ、熱交換面積を大きくすることが可能となり、ヒ−トポンプ加熱能力を向上することが可能となる。さらに、空気−冷媒熱交換器を略コの字状として、３方側面方向から送風手段の吸引力により空気を流すことができるために、ＭＢなどの閉塞された空間に設置した場合にも、熱交換能力がダウンすることがなく、設置汎用性を高めることができる。また、コの字状としていることにより、コの字の開いている部位を貯湯手段側に持ってくることにより、空気の流通により貯湯手段側方に空気が流れ貯湯手段が冷却され、貯湯能力が低下することを防ぐことができる。
【００１８】
第４の発明は、送風手段にケ−シングを設け、送風手段が発した気風を、筐体の側面側から吹き出す構成としたもので、例えば送風ファンにシロッコファンなどを使用して、前記送風ファンにケ−シングを設けて、風を前方に吹き出すようにしたものであり、本体ユニットをコンパクトに抑えつつ、空気−冷媒熱交換器の面積を大きくすることが可能となり、小型で加熱能力の大きなヒ−トポンプ給湯機とすることができる。また、ＭＢに設置した場合などで、人の頭の上に風を吹き出すことができ、冷風感を感じさせないヒ−トポンプ給湯機を提供できる。
【００１９】
第５の発明は、圧縮機、水−冷媒熱交換器のうち少なくとも一方を、空気−冷媒熱交換器の内方に設けたもので、略コの字の開いている部位に圧縮機や空気−冷媒熱交換器などを収納することができ、本体ユニットをコンパクトに抑えつつ、空気−冷媒熱交換器の面積を大きくすることが可能となり、小型で加熱能力の大きなヒ−トポンプ給湯機とすることができる。
【００２０】
第６の発明は、圧縮機、水−冷媒熱交換器のうち少なくとも一方を、空気−冷媒熱交換器の下方に設けたもので、空気−冷媒熱交換器の下に圧縮機や空気−冷媒熱交換器などを収納することができ、本体ユニットをコンパクトに抑えつつ、空気−冷媒熱交換器の面積を大きくすることが可能となり、小型で加熱能力の大きなヒ−トポンプ給湯機とすることができる。第５の発明に対して、さらにメンテナンス性の向上を図ることができる。
【００２１】
第７の発明は、空気−冷媒熱交換器の横側に貯湯手段を配設するとともに、前記貯湯手段と前記空気−冷媒熱交換器の間に、前記貯湯手段方向に向かって変位する仕切板を設け、前記空気−冷媒熱交換器と前記仕切板との間隙に対向するように、送風手段の吸気口を
形成したもので、側方に配した貯湯手段部位からも、空気を流通させ、貯湯手段側方の空気−冷媒熱交換器で熱交換を行うことにより、空気−冷媒熱交換器をコンパクトに抑えつつ、面積を大きくすることが可能となり、ヒ−トポンプ加熱能力を高めることが可能となる。特に、ロの字状の空気−冷媒熱交換器と組み合わせれば、４方向から空気を流通させ、熱交換することができるので、筐体は大きくしなくても、さらにヒ−トポンプ加熱能力を高めることができる。
【００２２】
第８の発明は、貯湯手段を略円筒形の貯湯タンクとし、仕切板を前記貯湯タンクと略同心円状としたもので、貯湯タンク側方からも空気を流通させ、貯湯手段側方の空気−冷媒熱交換器で熱交換を行うことにより、空気−冷媒熱交換器をコンパクトに抑えつつ、面積を大きくすることが可能となり、ヒ−トポンプ加熱能力を高めることが可能となる。特に、ロの字状の空気−冷媒熱交換器と組み合わせれば、４方向から空気を流通させ、熱交換することができるので、筐体は大きくしなくても、さらにヒ−トポンプ加熱能力を高めることができる。
【００２３】
第９の発明は、貯湯手段を空気−冷媒熱交換器の下方に配設したもので、貯湯タンクの水を充填した場合に本体をより安定させることができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態におけるヒ−トポンプ給湯機の概略斜視図、図２は図１に示す回路構成図である。
【００２６】
本体ユニット１内には、冷媒循環回路と給湯回路とを一体に収納して構成される。この冷媒循環回路は、本体ユニット１内部に配設された圧縮機２と、放熱器である水−冷媒熱交換器３と、減圧手段である電動膨張弁４が配背設され、その上方には熱交支持板５がある。熱交支持板５には、蒸発器である空気−冷媒熱交換器５が載置されている。この空気−冷媒熱交換器５の上方には、送風手段である送風ファン７があり、蒸発器である空気−冷媒熱交換器５に風を当て、蒸発能力を高め、ヒ−トポンプ加熱能力を高めるようになっている。また、この送風ファン７は上方へ風を流す、つまり、空気−冷媒熱交換器５の側方から吸引して、空気−冷媒熱交換器で熱交換を行い、熱交換された排気を上方に流すようになっている。
【００２７】
一方、給湯回路は、水道水などを温水に変える水−冷媒熱交換器３と、水−冷媒熱交換器３にて得た温水を貯める貯湯タンク９と、貯湯タンク９や水−冷媒熱交換器３に水道水を入水する入水管１０と、貯湯タンク９や水−冷媒熱交換器３から温水を蛇口３２や風呂３３の給湯端末に給湯する給湯管１１と、貯湯タンク９内の低温の水を送水する水ポンプ１２とから構成されている。貯湯タンク９は、空気−冷媒熱交換器５の側方に配設されている。１２は貯湯タンク９に温水を供給するための水ポンプであり、圧縮機２の側方に配されている。
【００２８】
図２に示す回路構成図にて説明する。本体ユニット１に冷媒循環回路と給湯回路とを一体に収納して構成され、この冷媒循環回路は、本体ユニット１内部に配設された圧縮機２と、水−冷媒熱交換器３と、減圧手段である例えば電動膨張弁４と、空気−冷媒熱交換器５とが冷媒配管１３で接続されて構成されている。また、空気−冷媒熱交換器５に風を当て、蒸発能力を高めるための送風ファン７が設けられている。
【００２９】
一方、給湯回路は、放熱器３と熱交換を行って水道水などを温水に変える水−冷媒熱交
換器３と、水−冷媒熱交換器３にて得た温水を貯める貯湯タンク９と、貯湯タンク９や水−冷媒熱交換器３に水道水を入水する入水管１０と、貯湯タンク９や水−冷媒熱交換器３から温水を蛇口３２や風呂３３の給湯端末に給湯する給湯管１１と、貯湯タンク９内の低温の水を送水する水ポンプ１２とから構成されている。
【００３０】
更に図２をもとに、上記給湯回路の構成について説明する。
【００３１】
タンク入水管１９は、入水管１０から水道水を貯湯タンク９に送る配管であり、途中にタンク入水逆止弁２０が設けられている。水道水供給管２１は、入水管１０から水−冷媒熱交換器８に水道水を直接供給する配管であり、この水道水給水管２１に逆止弁２２が設けられている。熱交給水管２３は、貯湯タンク９から水−冷媒熱交換器８に、水ポンプ１２の運転により、貯湯タンク９内の下方に貯まった低温水を送る配管であり、貯湯管２４は、水−冷媒熱交換器８で暖めた水道水を貯湯タンク９や元混合弁２７に送る配管であり、貯湯タンク側配管２４ａの途中には貯湯電磁弁２５が、また元混合弁側配管２４ｂの途中には逆止弁Ａ２８が設けられている。
【００３２】
また、タンク給湯管２６は、貯湯タンク９から高温水（通常は６０℃〜９０℃）を元混合弁２７へ給湯する配管であり、元混合弁２７は、貯湯管２４（元混合弁側配管２４ｂ）とタンク給湯管２６とから来る温水や水を混合させる弁であり、逆止弁Ａ２８は、元混合弁２７手前に設けられた弁である。また、先混合弁２９は、元混合弁２７を通過した温水と、入水管１０から供給される水道水とを混合し、適切な給湯温度を得る弁であり、先混合弁２９と入水管１０の間には逆流防止の逆止弁Ｂ３０が設けられている。そして、先混合弁２９にて最適温度となった温水が、注湯管３１及び給湯管１１を介して、蛇口３２や風呂３３に注湯される。
【００３３】
また、入水流量計３４は入水流量を測定する計器であり、給湯流量計３５は給湯流量を測定する計器である。排出弁３６は、寒冷地等にて長期間使用しない場合に、凍結防止等でタンク内の水を抜くために用いる弁であり、制御弁３７は入水流量を制御する弁である。そして、制御装置３８は、冷媒循環回路の高圧側の冷媒温度を検出し、その温度の高低から冷媒循環回路の立ち上がり状態を判定し、元混合弁２７や先混合弁２９の開度を制御する手段である。
【００３４】
以下、図面に基づいて、上記ヒ−トポンプ給湯機の動作を説明する。
【００３５】
圧縮機２を運転すると、圧縮されて吐出された冷媒は、水−冷媒熱交換器３に送られ、水道水供給管２１を通ってきた水道水と熱交換して放熱する。これにより、貯湯管２４、元混合弁２７に流れる水道水は高温に加熱される。水−冷媒熱交換器３から流出する冷媒は、減圧手段４にて減圧膨張され、空気−冷媒熱交換器５に送られ、送風ファン７にて送られた空気と熱交換して、空気−冷媒熱交換器５を通過する間に、蒸発してガス化する。このガス化した冷媒は、再度圧縮機２に吸入され、再度圧縮される過程を繰り返し、徐々に加熱された水道水は、注湯管３１、給湯管１１、蛇口３２を通り、風呂３３に注湯される。なお、冷媒として二酸化炭素を用いており、環境に優しく、かつ高温沸き上げ時にサイクル効率が高い給湯機を提供できるようにしてある。
【００３６】
そして、冷媒循環回路は立ち上がりが遅く、速湯性に劣っているため、貯湯タンク９によってその立ち上がりの悪さを補っている。すなわち、冷媒循環回路が立ち上がり、所定の給湯温度となるまでの間は、高温に保たれた貯湯タンク９からタンク給湯管２６を通過してきた温水と、まだ立ち上がっていない水−冷媒熱交換器８を通過してきた水（徐々に温度が上がり高温となる水）とを、元混合弁２７で混合し、さらに先混合弁２９で入水管１０を通ってきた水道水と混合して、所定の給湯を行う。
【００３７】
次に冷媒循環回路が立ち上がってくると、元混合弁２７の開度を調整し、貯湯タンク９からの高温の温水と、水−冷媒熱交換器８からの温水を適温に混合し、先混合弁２９に送り、さらに先混合弁２９で入水管１０を通ってきた水道水と混合して給湯する。
【００３８】
最終的には、貯湯タンク９からタンク給湯管２６を通過してきた温水は用いず、水道水供給管２１を通ってきた水道水を冷媒循環回路の水−冷媒熱交換器８で加熱して得た温水と、入水管１０を通ってきた水道水とを、先混合弁２９で混合し、所定の給湯を行う。即ち、制御装置３８によって、冷媒循環回路の立ち上がり状態を把握し、元混合弁２７や先混合弁２９の開度を調整し、所定温度の温水を給湯端末に供給する制御が行われる。
【００３９】
また、使用者が、蛇口３２を閉じるか、あるいは風呂３３に適量のお湯が溜まって給湯する必要がなくなると、水ポンプ１２を駆動させ、貯湯電磁弁２５を開き、次回の給湯運転のために、貯湯タンク９に高温の温水を貯湯する貯湯運転が行われる。
【００４０】
このように冷媒循環回路の立ち上がり状態に応じて、貯湯タンク９に貯めた温水を用いて給湯端末へ給湯したり、貯湯タンク９を介さずに水−冷媒熱交換器３で加熱して得た温水を給湯端末へ直接給湯したりすることができる構成としている。これにより本実施の形態では、リアルタイム給湯を可能とし、使用者が給湯したいときに給湯ができる速湯性能を確保することができ、使い勝手の良いヒ−トポンプ給湯機を提供することができる。換言すれば、この速湯性能の確保によって、貯湯タンク９の容量を貯湯式のヒ−トポンプ給湯機のそれよりも小さいものとすることができ、設置性の大幅な向上、コストダウン、使用性の向上を実現できることにもなる。
【００４１】
以上のように、本実施の形態のヒ−トポンプ給湯機では、圧縮機２、水−冷媒熱交換器３、減圧手段４、空気−冷媒熱交換器５を順次接続して閉回路を構成して冷媒を循環させる冷媒循環回路と、前記空気−冷媒熱交換器５と、前記空気−冷媒熱交換器５に送風する送風ファン７と、前記水−冷媒熱交換器３と接続され水−冷媒熱交換器３で加熱された温水を貯湯する貯湯タンク９と、水道水を供給する入水管１０と、前記貯湯タンク９に蓄えられた温水を蛇口やシャワ−等の給湯端末へ供給するように接続した注湯管３１と、これらを収納する筐体１を備え、前記送風ファン（軸流ファン）７を、前記空気−冷媒熱交換器５の上部または上部近傍に配設して、風を本体１の上面部より上方側に吹き出すようにしたものであり、本体ユニット１をコンパクトに抑えつつ、空気−冷媒熱交換器５の面積を大きくすることが可能となり、小型で加熱能力の大きなヒ−トポンプ給湯機とすることができる。
【００４２】
また、空気−冷媒熱交換器５を、本体１の上方からみて、略ロの字形に形成し、なおかつ、前記空気−冷媒熱交換器５の上部または上部近傍に配設することで、全周から空気を前記空気−冷媒熱交換器５を通過させ、さらに、前記空気−冷媒熱交換器５を通過後の気流は、前記送風ファン７に向かって上方側に流し、本体１の風を上方側に吹き出す構成にしていることより、空気−冷媒熱交換器５をコンパクトにしつつ、熱交換面積を大きくすることが可能となり、ヒ−トポンプ加熱能力を向上することが可能となる。さらに、空気−冷媒熱交換器５を略ロの字形状として、全周から空気を通過させることができるため、ＭＢなどの閉塞された空間に設置した場合にも熱交換能力がダウンすることがなく、設置汎用性を高めることができる。さらに、また、ＭＢに設置した場合などで、人の頭の上に風を吹き出すことができ、冷風感を感じさせないヒ−トポンプ給湯機を提供できる。
【００４３】
また圧縮機２または水−冷媒熱交換器３のうち、少なくとも一方を、空気−冷媒熱交換器５の下に設けた構成にすることで、空気−冷媒熱交換器５の下に圧縮機２や空気−冷媒熱交換器５などを収納することができ、本体ユニット１をコンパクトに抑えつつ、空気−
冷媒熱交換器５の面積を大きくすることが可能となり、小型で加熱能力の大きなヒ−トポンプ給湯機とすることができる。また、メンテナンス性の向上を図ることができる。
【００４４】
（実施の形態２）
図３は、本発明の第２の実施の形態におけるヒ−トポンプ給湯機の概略斜視図、図４は同、平面図である。回路構成図は図２と同様であり省略する。また、構成される部品は概略、第１の実施の形態と同様であり、異なるもののみ説明する。
【００４５】
図３ないし図４は、送風手段である送風ファン７にシロッコファンを使用して、前記シロッコファン７ａにケ−シング７ｂを設けて、風を本体１の前面部より前方側に吹き出す構成にしている。
【００４６】
以上のように構成されたヒ−トポンプ給湯機について、以下動作、作用を説明する。
【００４７】
送風ファンにシロッコファン７ａを使用して、前記シロッコファン７ａにケ−シング７ｂを設けて、空気を本体１の前方に吹き出す構成になっている。
【００４８】
以上のように、本実施の形態においては、送風ファンにシロッコファン７ａを使用して、前記シロッコファン７ａにケ−シング７ｂを設けて、空気を本体１の前方に吹き出すことにより、小型で加熱能力の大きなヒ−トポンプ給湯機とすることができる。また、ＭＢに設置した場合などで、人の頭の上に風を吹き出すことができ、冷風感を感じさせないヒ−トポンプ給湯機を提供できる。
【００４９】
また、空気−冷媒熱交換器５を、本体１の上方からみて、略ロの字形に形成し、なおかつ、前記空気−冷媒熱交換器５の上部または上部近傍に配設することで、全周から空気を前記空気−冷媒熱交換器５を通過させ、さらに、前記空気−冷媒熱交換器５を通過後の気流は、前記送風ファン７に向かって上方側に流し、本体１の風を上方側に吹き出す構成にしていることより、空気−冷媒熱交換器５をコンパクトにしつつ、熱交換面積を大きくすることが可能となり、ヒ−トポンプ加熱能力を向上することが可能となる。さらに、空気−冷媒熱交換器５を略ロの字形状として、全周から空気を通過させることができるため、ＭＢなどの閉塞された空間に設置した場合にも熱交換能力がダウンすることがなく、設置汎用性を高めることができる。
【００５０】
なお、図５に示すように、前記空気−冷媒熱交換器５を、本体１の上方からみて略コの字形に構成しても、上記とほぼ同等の効果は得られる。ただし、コの字の開いている部位を貯湯手段９側に持ってくることにより、前記空気−冷媒熱交換器５通過後の高温空気が、貯湯手段９側方に流れることで、貯湯能力が低下することを防止することができる。
【００５１】
（実施の形態３）
図６は、本発明の第３の実施の形態におけるヒ−トポンプ給湯機の概略斜視図、図７は、同、平面図である。回路構成図は図２と同様であり省略する。また、構成される部品は概略、第１の実施の形態と同様であり、異なるもののみ説明する。
【００５２】
図６、図７は、第３の発明のヒ−トポンプ給湯機において、水−冷媒熱交換器３を、空気−冷媒熱交換器５の内方に設けた構成としている。
【００５３】
以上のように構成されたヒ−トポンプ給湯機について、以下動作、作用を説明する。
【００５４】
圧縮機２または水−冷媒熱交換器３のうち、少なくとも一方を、空気−冷媒熱交換器５の内方に設けた構成とすることにより、略コの字の開いている部位から圧縮機２や空気−
冷媒熱交換器５などを収納することができ、本体ユニット１をコンパクトに抑えつつ、その圧縮機２や空気−冷媒熱交換器５の載置に用いられていた分、空気−冷媒熱交換器５の面積を大きくすることが可能となり、小型で加熱能力の大きなヒ−トポンプ給湯機とすることができる。
【００５５】
（実施の形態４）
図８は、本発明の第４の実施の形態におけるヒ−トポンプ給湯機の概略斜視図である。回路構成図は図２と同様であり省略する。また、構成される部品は概略、第１の実施の形態と同様であり、異なるもののみ説明する。
【００５６】
図８は、空気−冷媒熱交換器５の横側に貯湯手段９を配設し、前記貯湯手段９と前記空気−冷媒熱交換器５の間に、空気吸い込み用の略くの字形の仕切板１０１を、くの字が前記貯湯手段９側に対向するよう配設し、前記空気−冷媒熱交換器５と前記仕切板１０１の間隙の広くなっている前方側または後方側のすくなくとも一方側に対向して、吸気口を配設する構成にしている。
【００５７】
以上のように構成されたヒ−トポンプ給湯機について、以下動作、作用を説明する。
【００５８】
前記空気−冷媒熱交換器５の横側に貯湯手段９を配設し、前記貯湯手段９と前記空気−冷媒熱交換器５の間に、空気吸い込み用のくの字形の仕切板１０１を配設し、前記空気−冷媒熱交換器５と前記仕切板１０１の間隙の広くなっている前方または後方のすくなくとも一方に吸気口を配設する構成により、側方に配した貯湯手段９部位からも、空気を流通させ、貯湯手段９側方の空気−冷媒熱交換器５で熱交換を行うことにより、空気−冷媒熱交換器５をコンパクトに抑えつつ、面積を大きくすることが可能となり、ヒ−トポンプ加熱能力を高めることが可能となる。特に、略ロの字状の空気−冷媒熱交換器５と組み合わせれば、４方向から空気を流通させ、熱交換することができるので、筐体１は大きくしなくても、さらにヒ−トポンプ加熱能力を高めることができる。
【００５９】
なお、前記貯湯手段を円筒形の貯湯タンク９として、前記貯湯タンク９と前記空気−冷媒熱交換器５の間に、前記貯湯タンク９と概略同心円状の仕切板を配設すれば、貯湯タンク９側方からも空気を流通させ、貯湯タンク９側方の空気−冷媒熱交換器５で熱交換を行うことにより、空気−冷媒熱交換器５をコンパクトに抑えつつ、面積を大きくすることが可能となり、ヒ−トポンプ加熱能力を高めることが可能となる。特に、略ロの字型の空気−冷媒熱交換器５と組み合わせれば、４方向から空気を流通させ、熱交換することができるので、筐体１は大きくしなくても、さらにヒ−トポンプ加熱能力を高めることができる。
【００６０】
（実施の形態５）
図９は、本発明の第５の実施の形態におけるヒ−トポンプ給湯機の概略斜視図である。回路構成図は図２と同様であり省略する。また、構成される部品は概略、第１の実施の形態と同様であり、異なるもののみ説明する。
【００６１】
図９は、第９の発明のヒ−トポンプ給湯機において、前記貯湯手段９を、前記空気−冷媒熱交換器５の下方に配設した構成にしている。
【００６２】
以上のように構成されたヒ−トポンプ給湯機について、以下動作、作用を説明する。
【００６３】
前記貯湯手段を、前記空気−冷媒熱交換器５の下方に配設した構成により、貯湯タンク９の水を充填した場合に本体１をより安定させることができる。
【産業上の利用可能性】
【００６４】
以上のように、本発明は、ヒ−トポンプサイクルで湯を生成して給湯するヒ−トポンプ給湯機に適用され、例えば、家庭用の瞬間湯沸し器や、業務用の給湯装置などに適している。
【図面の簡単な説明】
【００６５】
【図１】本発明の実施の形態１におけるヒ−トポンプ給湯機の概略斜視図
【図２】同ヒ−トポンプ給湯機の回路構成図
【図３】本発明の実施の形態２におけるヒ−トポンプ給湯機の概略斜視図
【図４】同ヒ−トポンプ給湯機の平面図
【図５】同他のヒ−トポンプ給湯機の平面図
【図６】本発明の実施の形態３におけるヒ−トポンプ給湯機の概略斜視図
【図７】同ヒ−トポンプ給湯機の平面図
【図８】本発明の実施の形態４におけるヒ−トポンプ給湯機の平面図
【図９】本発明の実施の形態５におけるヒ−トポンプ給湯機の概略斜視図
【図１０】従来のヒ−トポンプ給湯機の回路構成図
【符号の説明】
【００６６】
１    本体ユニット（筐体）
２    圧縮機
３    水−冷媒熱交換器
４    減圧手段（電動膨張弁）
５    空気−冷媒熱交換器
６    冷媒配管
７    送風ファン（送風手段）
９    貯湯タンク（貯湯手段）
１２  水ポンプ（送水手段）
【図１】
2006145085.tif 000003
【図２】
2006145085.tif 000004
【図３】
2006145085.tif 000005
【図４】
2006145085.tif 000006
【図５】
2006145085.tif 000007
【図６】
2006145085.tif 000008
【図７】
2006145085.tif 000009
【図８】
2006145085.tif 000010
【図９】
2006145085.tif 000011
【図１０】
2006145085.tif 000012